(57)【要約】【課題】従来の天井扇では、天井扇の外径と同等程度の狭い範囲にのみ下方への気流が生じるため、それ以外の範囲では気流を直接浴びることができないという課題がある。【解決手段】天井扇１の羽根車１１の外周に、対向する一対の円弧状板１２が本体８の非回転部７から羽根板９より上方で外向きに延伸した棒状の支持部材１３により支持固定された構成にすることにより、羽根車１１の外周側で昇圧した気流は、円弧状板１２に衝突したのち円弧状板１２に衝突した反発力によって旋回しながら円弧状板１２のない切れ目１４の下方で対角方向に放り出されるため、羽根車１１の外径よりも外側に到達し、円弧状板１２位置を短径とした楕円状に広がる気流とすることができ、天井扇１の外径よりも広い範囲で気流を直接浴びることができる。【選択図】図１
2013160218.tif 000002
【特許請求の範囲】
【請求項１】
一端に天井面側に固定する取り付け手段を備えた、回転軸を中心に回転する電動機と、
前記電動機の全部または一部を内包する、回転部と非回転部を備えた本体と、
前記電動機または前記回転部に環状に固定される複数の羽根板を備え、
前記電動機と共に前記羽根板が回転して羽根車となり送風を行う天井扇であって、
対向する一対の円弧状板を前記羽根車の外周に備えた天井扇。
【請求項２】
前記本体の前記非回転部から外向きに延伸し前記円弧状板を支持する支持部材を備え、前記支持部材が前記羽根板よりも上方に位置する請求項１に記載の天井扇。
【請求項３】
一対の前記円弧状板の円周方向位置を調整可能である請求項１または２に記載の天井扇。
【請求項４】
一対の前記円弧状板の回転軸方向位置が可変である請求項１から３のいずれかに記載の天井扇。
【請求項５】
下向きに送風する前記羽根車の回転方向とその逆の回転方向を切替える切替手段を備え、逆回転時に前記円弧状板の回転軸方向位置を前記羽根板より上方に位置するようにした請求項４に記載の天井扇。
【発明の詳細な説明】
【技術分野】
【０００１】
本発明は、天井に設置され、直接風による体感温度の減少や室内の空気の循環に使用される天井扇に関するものである。
【背景技術】
【０００２】
従来、この種の天井扇は、長板状の羽根板の一端を支持する接続部材を介して、電動機により回転する回転体に固定するものが知られている（例えば、特許文献１参照）。
【０００３】
以下、その天井扇について図６を参照しながら説明する。
【０００４】
図６に示すように、天井扇１０１の全体構成はキャノピー（上カバー）１０２と中カバー１０３と電動機の外側回転体１０４と下カバー１０５と、外側回転体１０４のホルダー１０６に羽根１０７が取り付けられているものからなり、キャノピー１０２の内部の簡易取り付け金具１０８が天井１０９にネジ止めされて天井扇１０１は吊り下げられている。
【０００５】
上記構成において、羽根１０７は回転軸を中心とする周方向に所定の角度を持って取り付けられており、電動機により羽根１０７が回転すると、羽根１０７の昇圧作用により、正方向の回転では羽根１０７の外周から天井１０９と羽根１０７の間を通った空気が下方に送風され、逆回転では羽根１０７の下方から天井１０９と羽根１０７の間を通って羽根１０７の外周に送風される。よって、主に夏季に天井扇１０１の直下付近で涼を取る場合は正方向回転で使用され、主に冬季に、直接風で冷風感を感じないように部屋全体の空気の循環を促す場合は逆回転で使用される。
【先行技術文献】
【特許文献】
【０００６】
【特許文献１】特開平１１−２１０６７８号公報（第２−４頁、第１図）
【発明の概要】
【発明が解決しようとする課題】
【０００７】
このような従来の天井扇においては、正方向の回転で下方に送風される場合、天井扇１０１の外径と同等程度の狭い範囲にのみ下方への気流が生じるため、それ以外の範囲では気流を直接浴びることができず、床面に届いた後に外側に曲がった気流しか届かず、家具や他の人物など障害物がある場合は気流を浴びることができないという課題を有していた。
【０００８】
本発明は、このような従来の課題を解決するものであり、正方向の回転で下方に送風される場合に天井扇の外径よりも広い範囲で気流を直接浴びることができる天井扇を提供することを目的とする。
【課題を解決するための手段】
【０００９】
そして、この目的を達成するために、本発明は、一端に天井面側に固定する取り付け手段を備えた、回転軸を中心に回転する電動機と、電動機の全部または一部を内包する、回転部と非回転部を備えた本体と、電動機または回転部に環状に固定される複数の羽根板を備え、電動機と共に羽根板が回転して羽根車となり送風を行う天井扇であって、対向する一対の円弧状板を羽根車の外周に備えた構成にしたものであり、これにより所期の目的を達成するものである。
【発明の効果】
【００１０】
本発明によれば、天井扇の外径よりも広い範囲で気流を直接浴びることができる天井扇を提供することができる。
【図面の簡単な説明】
【００１１】
【図１】本発明の実施の形態１の天井扇を示す下方斜視図
【図２】同天井扇の上方斜視図
【図３】（ａ）同天井扇の上面図、（ｂ）同天井扇の側面図
【図４】本発明の実施の形態２の天井扇を示す上方斜視図
【図５】（ａ）同天井扇の側面図、（ｂ）同天井扇の下面図
【図６】従来の天井扇を示す側面図
【発明を実施するための形態】
【００１２】
本発明の請求項１記載の天井扇は、一端に天井面側に固定する取り付け手段を備えた、回転軸を中心に回転する電動機と、電動機の全部または一部を内包する、回転部と非回転部を備えた本体と、電動機または回転部に環状に固定される複数の羽根板を備え、電動機と共に羽根板が回転して羽根車となり送風を行う天井扇であって、対向する一対の円弧状板を羽根車の外周に備えた構成を有する。
【００１３】
これにより、羽根車の外周側で昇圧した気流が円弧状板に衝突したのち円弧状板に衝突した反発力によって旋回しながら円弧状板のない切れ目の下方で対角方向に放り出されるため、羽根車の外径よりも外側に到達し、円弧状板位置を短径とした楕円状に広がる気流とすることができ、天井扇の外径よりも広い範囲で気流を直接浴びることができるという効果を奏する。
【００１４】
また、本体の非回転部から外向きに延伸し円弧状板を支持する支持部材を備え、支持部材が羽根板よりも上方に位置する構成にしても良い。
【００１５】
これにより、支持部材が羽根車より下方で気流が乱れ、気流が届く範囲が狭くなることを抑制することができるという効果を奏する。
【００１６】
また、一対の円弧状板の円周方向位置を調整可能である構成にしてもよい。
【００１７】
これにより、楕円状の気流の長軸方向の向きを変更でき、部屋の形状や家具の配置等に応じて直接気流を浴びることができる範囲を調整することができるという効果を奏する。
【００１８】
また、一対の円弧状板の回転軸方向位置が可変である構成にしてもよい。
【００１９】
これにより、気流を浴びる人数が少ない場合など気流の範囲を拡大する必要が無い場合に、円弧状板の回転軸方向位置を動かして気流の範囲の拡大をなくすことができ、天井扇の不要な動力を抑制することができるという効果を奏する。
【００２０】
また、下向きに送風する羽根車の回転方向（以下正回転と称す）とその逆の回転方向（以下逆回転と称す）を切替える切替手段を備え、逆回転時に円弧状板の回転軸方向位置を羽根板より上方に位置する構成にしてもよい。
【００２１】
これにより、主に冬場の暖房効率向上のためのサーキュレーション効果を得るために用いられる逆回転時に、円弧状板により円周方向の一部に気流を集めて風速を上げて遠方に気流を届かせ、サーキュレーション効果を向上することができるという効果を奏する。
【００２２】
以下、本発明の実施の形態について図面を参照しながら説明する。
【００２３】
（実施の形態１）
図１、図２に示すように、天井扇１は、一端に天井２に固定する取り付け手段３を備えた回転軸４を中心に回転する電動機５と、電動機５を内包し電動機５と共に回転する回転部６と非回転部７を備えた本体８を備え、５枚の羽根板９が本体８の回転部６に環状に固定されている。
【００２４】
非回転部７には電動機５の回転の仕方（例えば回転数や回転方向）を制御する制御回路１０を備えている。羽根板９が電動機５により回転することにより羽根車１１を形成する。この例では本体８の外径は２５０ｍｍ、羽根板９の外径は９００ｍｍで、取り付け手段３は、天井２にあらかじめ備えられた引っ掛けシーリングに固定することができる引っ掛け部材とする。
【００２５】
羽根車１１の外周には、対向する一対の円弧状板１２が、羽根板９より上方で外向きに延伸した棒状の支持部材１３により支持固定されている。支持部材１３の中心部１６は回転軸４を内包する円筒状であり、本体８の非回転部７により支持されている。円弧状板１２の円弧長さは羽根車１１の周長の約１／４であり、円弧状板１２のない切れ目１４とほぼ同じ長さとしている。一対の円弧状板１２は支持部材１３と共に回転させることができ円周方向位置を調整可能である。
【００２６】
このような構成によれば、図１から図３に示すように、電動機５により羽根車１１が正回転すると下方に送風されるが、図３（ａ）（ｂ）に示すように、羽根車１１の外周側で昇圧した気流は、円弧状板１２に衝突したのち円弧状板１２に衝突した反発力によって旋回しながら円弧状板１２のない切れ目１４の下方で対角方向に放り出されるため、羽根車１１の外径よりも外側に到達し、円弧状板１２位置を短径とした楕円状に広がる気流とすることができ、天井扇１の外径よりも広い範囲で気流を直接浴びることができる。
【００２７】
このとき、図２に示すように、円弧状板１２を支持する支持部材１３が羽根車１１より上方に位置するため、羽根車１１の下方で気流が乱れ、気流が届く範囲が狭くなることを抑制することができ、また天井扇１の天井２からの厚みが増加することがなく、圧迫感を与えない。
【００２８】
またこのとき、一対の円弧状板１２は支持部材１３と共に回転させることができ円周方向位置を調整可能であるので、楕円状の気流の長軸方向の向きを変更でき、部屋の形状や家具の配置等に応じて直接気流を浴びることができる範囲を調整することができる。
【００２９】
なお、羽根車１１の外周に対向する一対の円弧状板１２を支持固定するとしたが、円弧状板１２は円弧状でない多角形状であったり、板状でなく波打った形状あったりしても、羽根車１１の外周側の気流を切れ目１４まで送り出せる形状であれば同様の効果を得ることができる。
【００３０】
またなお、本実施の形態では円弧状板１２の円弧長さは羽根車１１の周長の約１／４としたが、２０〜４５％の範囲内にあることが望ましく、２０％未満では円弧状板１２が気流に与える反発力が小さく気流を拡げることができず、また４５％より大きいと円弧状板１２の切れ目１４が小さくなって対角方向に放り出される気流が少なくなり、気流を拡げることができない。さらに円弧状板１２の短手方向の長さは、気流に十分な反発力を与えられるよう羽根板９の厚み方向の長さと同等以上が望ましい。
【００３１】
（実施の形態２）
実施の形態１と同一部分は同一符号を付し詳細な説明は省略する。
【００３２】
図４において、本体８の非回転部７に支持部材１３の上下方向位置を動かすことができる調節手段としてスペーサ１５を備え、支持部材１３とともに一対の円弧状板１２の回転軸方向位置が調節できる構成となっている。スペーサ１５は半円筒状の２部品で構成され、本体８の非回転部７と支持部材１３の中心部１６の間に回転軸４を内包する円筒となるように組み立てて設置することにより、支持部材１３の位置を調節できる。
【００３３】
このような構成によれば、気流を浴びる人数が少ない場合など気流の範囲を拡大する必要が無い場合に、円弧状板１２を上方に移動させて羽根車１１の外周から外れた位置にすることができるため、気流の範囲の拡大をなくすことができ、天井扇の不要な動力を抑制することができる。
【００３４】
また、天井扇１は主に冬場に暖房効率向上のためのサーキュレーション効果を得るため、制御回路１０により羽根車１１を逆回転させ、天井２に気流をぶつけて遠心方向に気流を送るように用いられるが、このような構成によれば、図４、図５に示すように、逆回転時に円弧状板１２の回転軸４方向位置を羽根板９より上方に位置することができるため、円弧状板１２の切れ目１４に気流を集めることができ、風速を上げて遠方に気流を届かせることができ、サーキュレーション効果を向上することができる。
【００３５】
また、一対の円弧状板１２の円周方向位置を調整可能であれば、部屋の形状、暖房器具や窓の配置に応じて遠方に気流を届かせる方向を調整できるので、なお良い。
【００３６】
なお、本実施の形態では調節手段を支持部材１３の中心部１６と本体８の非回転部７との間に設置されるスペーサ１５としたが、支持部材１３の中心部１６を回転軸４にネジ止めして支持部材１３の上下方向を調節する方法や、回転軸４に備える複数の穴のひとつにピンを挿して支持部材１３の中心部１６を支えることにより支持部材１３の上下方向を調節する方法などでもよい。
【００３７】
またなお、支持部材１３の中心部１６と本体８の非回転部７との間にジャッキを備え、ステッピングモータでジャッキを操作して支持部材１３の上下方向を調節する方法などであれば、天井２付近まで手を伸ばすことなく、自動で支持部材１３の上下方向を調節できるので、なおよい。
【産業上の利用可能性】
【００３８】
本発明の天井扇は、天井に設置され、直接風による体感温度の減少や室内の空気の循環に使用される天井扇等として有用である。
【符号の説明】
【００３９】
１    天井扇
２    天井
３    取り付け手段
４    回転軸
５    電動機
６    回転部
７    非回転部
８    本体
９    羽根板
１０  制御回路
１１  羽根車
１２  円弧状板
１３  支持部材
１４  切れ目
１５  スペーサ
１６  中心部
【図１】
2013160218.tif 000003
【図２】
2013160218.tif 000004
【図３】
2013160218.tif 000005
【図４】
2013160218.tif 000006
【図５】
2013160218.tif 000007
【図６】
2013160218.tif 000008